(57)【特許請求の範囲】
【請求項１】
特定面に、当該特定面に沿った方向へ延びる円筒穴部及び、前記円筒穴部に対応するピン穴が形成されたハウジングと、
自動変速機が具備する摩擦要素に対して作動油を供給し、ピンが嵌合する溝条を側部円筒面に有しており、前記円筒穴部に収容された状態で、前記ピン穴に挿入される前記ピンにて固定される複数の電磁油圧制御弁と、
前記電磁油圧制御弁を制御する電子制御ユニットから前記電磁油圧制御弁への前記特定面における配線を収容するレール状の収容部、及び、前記特定面への締結のため前記ハウジングの締結部位へ締結される締結部を有する配線カバーと、を備え、
前記配線カバーは、前記締結部から延び、前記ピンが挿入された状態を維持するよう前記ピンの端部を支持する腕部を有していること
を特徴とする配線装置。
【請求項２】
請求項１に記載の配線装置において、
特定の隣り合う電磁油圧制御弁は、前記円筒穴部に収容された状態で、前記溝条が両制御弁の内側に位置するように形成されていること
を特徴とする配線装置。
【請求項３】
請求項２に記載の配線装置において、
前記両制御弁の前記溝条に合わせて形成された２つのピン穴に対応する位置に前記締結部位が形成されていること
を特徴とする配線装置。
【請求項４】
請求項２又は３に記載の配線装置において、
前記特定の隣り合う電磁油圧制御弁は、一方が非通電時に前記作動油の出力圧が低圧となるものであり、他方が非通電時に前記作動油の出力圧が高圧となるものであること
を特徴とする配線装置。
【請求項５】
請求項１〜４の何れか一項に記載の配線装置において、
前記配線カバーは、金属材料で成形されていること
を特徴とする配線装置。
【請求項６】
請求項１〜５の何れか一項に記載の配線装置において、
前記収容部は、前記ハウジング側が開口する横断面コ字状に形成されていること
を特徴とする配線装置。
【請求項７】
請求項１〜６の何れか一項に記載の配線装置において、
前記収容部は、横断面における端部が丸みを帯びるよう形成されていること
を特徴とする配線装置。
【請求項８】
請求項７に記載の配線装置において、
前記収容部は、前記配線が前記配線カバーから引き出される部位の前記配線カバーの端縁部が、前記コ字状の外側方向へ折り曲げられ、その屈曲部に丸みを帯びるよう
形成されていること
を特徴とする配線装置。
【請求項９】
請求項１〜８の何れか一項に記載の配線装置において、
前記配線カバーは、少なくとも前記収容部の表面が絶縁膜で覆われていること
を特徴とする配線装置。
【請求項１０】
請求項９に記載の配線装置において、
前記絶縁膜は、化成被膜であること
を特徴とする配線装置。
【請求項１１】
請求項９に記載の配線装置において、
前記絶縁膜は、内層のメッキ膜及び、外層のクロム系コーティング材を有すること
を特徴とする配線装置。
【請求項１２】
請求項９に記載の配線装置において、
前記絶縁膜は、電着塗装被膜であること
を特徴とする配線装置。
【請求項１３】
請求項１〜１２の何れか一項に記載の配線装置において、
前記配線カバーは、前記特定面から前記ハウジングの傍らを経由する前記特定面の反対側の面への配線を収容する保護チューブを有していること
を特徴とする配線装置。
【請求項１４】
請求項１３に記載の配線装置において、
前記配線カバーは、前記保護チューブの端部に、前記配線を外側から覆う保護部を有していること
を特徴とする配線装置。
【発明の詳細な説明】
【技術分野】
【０００１】
本発明は、自動変速機に用いられる電磁油圧制御弁への配線の接続技術及び当該電磁油圧制御弁のハウジングに対する固定技術に関する。
【背景技術】
【０００２】
例えば、自動変速機は、クラッチやブレーキ等の複数の摩擦要素を選択的に係合または開放して変速を行う。このような摩擦要素は、電磁油圧制御弁の出力ポートから供給される作動油によって動作する。
【０００３】
電磁油圧制御弁は、バルブボディなどと呼ばれる金属製のハウジングに、例えば並列に配設される。これら電磁油圧制御弁は電子制御ユニットによって制御されるため、各電磁油圧制御弁には、電子制御ユニットからの配線が接続される。
【０００４】
従来、電磁油圧制御弁への配線を収容し、その配線をハウジングに対して固定するレール状の配線カバーが提案されている（例えば、特許文献１参照）。ところが、特許文献１に開示される構成では、固定用の専用部品などが用いられているため、部品点数が多くなる。
【０００５】
そこで、電磁油圧制御弁の円筒面の一部を切り欠き、ハウジングに挿入した状態で、当該切り欠きにピンを嵌合させて、電磁油圧制御弁の抜け及び回転を規制する構造が開示されている（例えば、特許文献２参照）。特許文献２では、電子制御ユニットが搭載されたユニット台にて、ハウジングに挿入されたピンを支持している。
【先行技術文献】
【特許文献】
【０００６】
【特許文献１】特開平８−１６３７４８号公報
【特許文献２】特開２０１０−７８１３３号公報
【発明の概要】
【発明が解決しようとする課題】
【０００７】
しかしながら、特許文献２では、比較的大きなユニット台を成形する必要がある。このとき、ピンを支持するためにユニット台に平面度が要求されるが、大型の樹脂成形では、精度を確保しにくい。
【０００８】
本発明は、上述した問題を解決するためになされたものであり、その目的は、電磁油圧制御弁への配線を行う配線装置において、ハウジングに対する電磁油圧制御弁の固定を簡易な構造で実現することにある。
【課題を解決するための手段】
【０００９】
上述した目的を達成するためになされた請求項１に記載の配線装置は、ハウジングを備えている。このハウジングの特定面には、当該特定面に沿った方向へ延びる円筒穴部及び、円筒穴部に対応するピン穴が形成されている。  
【００１０】
一例として、図２に、ハウジング１０を示した。ハウジング１０の特定面Ｔには、円筒穴部１１が面に沿って形成されている。また、この円筒穴部１１に対応するピン穴１２が形成されている。
【００１１】
また、配線装置は、自動変速機が具備する摩擦要素に対して作動油を供給する複数の電磁油圧制御弁を備えている。電磁油圧制御弁は、ピンが嵌合する溝条を側部円筒面に有しており、円筒穴部に収容された状態で、ピン穴に挿入されるピンにて固定される。
【００１２】
上述の例では、「電磁油圧制御弁」は、図２中のＡ〜Ｆの６つのリニアソレノイド弁３０となっている。図３に示すようにリニアソレノイド弁３０が円筒穴部１１に収容された状態で、ピン穴１２に挿入されるピン１３が、溝条３１に嵌合する。これにより、リニアソレノイド弁３０の抜け及び回転が規制される。
【００１３】
さらにまた、配線装置は配線カバーを備えており、配線カバーは、レール状の収容部及び、締結部を有している。収容部は、電子制御ユニットから電磁油圧制御弁への特定面における配線を収容する部分である。電子制御ユニットは、電磁油圧制御弁を制御する。一方、締結部は、配線カバーを特定面に締結するため前記ハウジングの締結部位へ締結される部分である。
【００１４】
配線カバーの一例を、図１に示した。配線カバー２０は、ハウジング１０の特定面における配線を収容する収容部２１と、締結ための締結部２２とを有している。電子制御ユニットは、上下方向へ延びる保護チューブ２４内の配線を介し、コネクタ部２５にて接続される。
【００１５】
ここで特に、配線カバーは、締結部から延びる腕部を有している。この腕部は、ピンが挿入された状態を維持するようピンの端部を支持する。上述した図１の例で言えば、腕部２３が締結部２２から延びるように形成されている。
【００１６】
つまり、レール状の収容部を有する配線カバーにはハウジングの締結部位への固定のための締結部が設けられるのであるが、この締結部から延びる腕部によって、電磁油圧制御弁を固定するためのピンを支持するようにしたのである。
【００１７】
このようにすれば、例えば特許文献２のようにユニット台でピンを支持する構成と異なり、大型の樹脂成形が必要なくなる。特にピン穴の位置とハウジングの締結部位とをなるべく近づけるようにして腕部の長さを短くするようにすれば、効果が際立つ。
【００１８】
上記腕部を短くするという観点からは、ハウジングの締結部位とピン穴とを近づけることが考えられる。このピン穴は、電磁油圧制御弁の溝条の位置に対応させて設けられる。そこで請求項２に示すように、特定の隣り合う電磁油圧制御弁は、空洞部に収容された状態で、溝条が両制御弁の内側に位置するように形成されていることとしてもよい。溝条を両制御弁の内側に位置するようにするため、例えば両制御弁において、弁軸に対し反対側に溝条を形成することが考えられる。
【００１９】
ここでの理解を容易にするため図を用いて一例を挙げれば、図２中のＡ及びＢのリニアソレノイド弁３０、並びに、Ｄ及びＥのリニアソレノイド弁３０が「特定の隣り合う電磁油圧制御弁」に相当する。このとき、ピン穴１２が両制御弁３０の間に位置することから分かるように、対となるリニアソレノイド弁３０において、溝条が内側に位置するように形成されている。
【００２０】
このようにすれば、隣り合う電磁油圧制御弁に対応する２つのピン穴の位置を近くすることができ、例えば締結部から延びる腕部の一部を共通化することにより、より小型の配線カバーを構成することができ、より一層効果が際立つ。
【００２１】
また、２つのピン穴の位置を近くすることに加え、ピン穴の近くに締結部位を形成することが好ましい。例えば請求項３に示すように、両制御弁の溝条に合わせて形成された２つのピン穴に対応する位置に締結部位が形成されていることとしてもよい。例えば２つのピン穴の間に締結部位を形成するという具合である。このようにすれば、締結部から延びる腕部を短くすることができ、ピンを確実に支持することができる。ここで「ピン穴に対応する位置に」としたのは、２つのピン穴に対応させて１つの締結部位が形成されることを意味する。したがって、ピン穴の間に締結部位が形成される場合だけでなく、腕部の長さを短くするような種々の態様を含む。一例として、２つのピン穴から同様の距離にある位置に締結部位が形成されるような場合が挙げられる。
【００２２】
ところで、電磁油圧制御弁には、作動油の出力圧が非通電時に低圧となるものと、作動油の出力圧が非通電時に高圧となるものとがある。そこで請求項４に示すように、特定の隣り合う電磁油圧制御弁は、一方が非通電時に作動油の出力圧が通電時に比べ低圧となるものであり、他方が非通電時に作動油の出力圧が通電時に比べ高圧となるものであることとしてもよい。
【００２３】
隣り合う特定の電磁油圧制御弁においては溝条が弁軸に対し反対側に形成されるため、仕様の異なる２種類の電磁油圧制御弁を「隣り合う特定の電磁油圧制御弁」とすることで、溝条によって電磁油圧制御弁を区別することができる。
【００２４】
なお、配線カバーの腕部がピンを支持するため、請求項５に示すように、配線カバーを金属材料で成形することが好ましい。このようにすれば、配線カバーの剛性が高くなり、その腕部により確実にピンを支持することができる。
【００２５】
また、特定面における配線は配線カバーの収容部に収容されるため、請求項６に示すように、ハウジング側が開口する横断面コ字状となるように収容部を形成することが考えられる。このようにすれば、収容部によって３方向から配線が覆われるため、配線を十分に保護することができる。
【００２６】
配線カバーを金属部材で構成する場合は特に、配線カバー自体で配線が損傷しないようにすることが重要となる。そこで、請求項７に示すように、収容部の横断面における端部が丸みを帯びるよう形成することが望ましい。このようにすれば、配線が損傷することを極力防止することができる。
【００２７】
端部が丸みを帯びるように形成する場合、例えば端部のコーナー部分をＲ形状とすることが考えられる。例えば図８（ｃ）に示すごとくである。また、請求項８に示すように、収容部は、配線が配線カバーから引き出される部位の配線カバーの端縁部が、コ字状の外側方向へ折り曲げられ、その屈曲部に丸みを帯びるよう
形成されていることとしてもよい。例えば図８（ａ）及び（ｂ）に示すごとくである。
【００２８】
また、請求項９に示すように、少なくとも収容部の表面を絶縁膜で覆うことが好ましい。配線カバーを介した配線の短絡を防止するためである。具体的には、請求項１０に示すように、絶縁膜を化成被膜で構成することが考えられる。また、請求項１１に示すように、絶縁膜を、内層のメッキ膜及び外層のクロム系コーティング材で構成することが考えられる。この場合、メッキ膜が導電性を有するため、クロム系コーティング材で覆う。さらにまた、請求項１２に示すように、絶縁膜を、電着塗装被膜で構成することが考えられる。電着塗装被膜を用いると、丈夫になる点で有利である。
【００２９】
なお、請求項１３に示すように、配線カバーは、特定面からハウジングの傍らを経由する特定面の反対側の面への配線を収容する保護チューブを有していることとしてもよい。例えば図１中の保護チューブ２４として具現化される。このようにすれば、ハウジングの傍らを経由する配線が例えばＡＴケースに接触して損傷することを防止できる。
【００３０】
また、保護チューブの端部で配線がＡＴケース等に接触する虞があるため、請求項１４に示すように、配線カバーは、保護チューブの端部に、配線を外側から覆う保護部を有していることとしてもよい。例えば図１中の配線保護部２６及びコネクタ保護部２７として具現化される。このようにすれば、保護チューブの端部においても配線を保護することができる。
【００３１】
なお、特許文献２では、ピンを支持するためのユニット台がオイルパン側、すなわち車両の下方側に搭載される。つまり、この構成では、電子制御ユニットが車両の下方側に搭載されるのである。そのため、石跳ねや縁石接触により電子制御ユニットが損傷する虞がある。そこで、「前記ハウジングの前記特定面は、車両の下方側の面であり、前記電子制御ユニットは、前記特定面の反対側に配置されること」としてもよい。
【図面の簡単な説明】
【００３２】
【図１】実施形態の配線装置を示す斜視図である。
【図２】ハウジングの特定面の構成を示す斜視図である。
【図３】図２のＧ−Ｇ線断面図である。
【図４】表側から視た配線カバーの斜視図である。
【図５】裏側から視た配線カバーの斜視図である。
【図６】保護チューブを拡大して示す斜視図である。
【図７】配線カバーの表側を、配線を省略して示す斜視図である。
【図８】配線カバーの裏側を、配線を省略して示す斜視図である。
【図９】図７の記号Ｈ，Ｉ部分の説明図である。
【発明を実施するための形態】
【００３３】
以下、実施形態の配線装置を、図面に基づいて説明する。
図１に示すように、配線装置１は、ハウジング１０、及び、配線カバー２０を備えている。ハウジング１０には、図２に示すように、６つのリニアソレノイド弁３０が固定される。なお、これらのリニアソレノイド弁３０を区別する場合、図２中の記号Ａ〜Ｆを用いて記述する。
【００３４】
ハウジング１０は、図２に示すように、特定面Ｔに、その面に沿って延びる６つの円筒穴部１１を有している。円筒穴部１１は円柱状の空間１１ａを有しており、詳しくはこの空間１１ａに、Ａ〜Ｆの６つのリニアソレノイド弁３０が収容されて固定される。
【００３５】
円筒穴部１１は、相互に平行に形成されており、特定面Ｔに、横一列に並ぶようにして形成されている。したがって、リニアソレノイド弁３０も、相互に平行に横一列に並ぶようにして配置される。
【００３６】
リニアソレノイド弁３０は、その側面に、円筒穴部１１に収容された状態で、ピン１３が嵌合する溝条３１（図３参照）を有している。溝条３１は、リニアソレノイド弁３０の弁軸Ｏに垂直な方向に形成されている。これにより、図３に示すように、ピン穴１２にピン１３が挿入されると、ピン１３は、リニアソレノイド弁３０の溝条３１に嵌合し、リニアソレノイド弁３０の抜け（紙面奥側への移動）及び弁軸Ｏ周りの回転を規制する。
【００３７】
本実施形態において、Ａリニアソレノイド弁３０では、図３からも分かるように、先端側から視て、弁軸Ｏの右側に、溝条３１が形成されている。一方、Ａリニアソレノイド弁３０に隣り合うＢリニアソレノイド弁３０では、図２から分かるように、ピン穴１２が先端側から視て弁軸Ｏの左側に形成されている。すなわち、Ｂリニアソレノイド弁３０では、溝条３１は、先端側から視て弁軸Ｏの左側に形成されている。
【００３８】
つまり、Ａ及びＢの隣り合うリニアソレノイド弁３０は、円筒穴部１１に収容された状態で、溝条３１が両制御弁３０の内側に位置するよう当該溝条３１が弁軸Ｏに対し反対側に形成されている。これにより、Ａ及びＢのリニアソレノイド弁３０に対応するピン穴１２は、近接する位置に配置されることになる。なお、この構成は、Ｄ及びＥの隣り合うリニアソレノイド弁３０でも、同様になっている。
【００３９】
図１に示すように、配線カバー２０は、ハウジング１０の特定面Ｔに締結される。配線カバー２０は、金属材料で成形されている。また、その表面には、電着塗装皮膜の絶縁膜が形成されている。
【００４０】
配線カバー２０は、レール状の収容部２１を有している。収容部２１は、特定面Ｔにおけるリニアソレノイド弁３０への配線を収容する。したがって、収容部２１は、横一列に並ぶリニアソレノイド弁３０に跨るようにして、リニアソレノイド弁３０の並び方向へ延びる。収容部２１は、所定部分でハウジング１０側が開口する横断面コ字状となっており、その内部に、配線４１を収容している（図５等参照）。
【００４１】
収容部２１は、Ａ〜Ｄのリニアソレノイド弁３０の後端付近を通り、Ｅ及びＦのリニアソレノイド弁３０の中央部付近へ延びている。この収容部２１からは、図４及び図５などに示すように、リニアソレノイド弁３０に対応して配線４１が引き出されており、この配線４１は、リニアソレノイド弁３０の円筒面に設けられた接続部３２（図２参照）に対し、専用コネクタ４２にて接続される。
【００４２】
配線カバー２０がハウジング１０の特定面Ｔに締結されることはすでに述べたが、図１等に示すように、そのための複数の締結部２２を有している。締結部２２の一部は、レール状に延びる収容部２１の両側に配置されている。締結部２２に対応して、ハウジング１０には、ボス１４が形成されている。これにより、配線カバー２０は、締結部２２の穴を挿通するネジによって螺着される。
【００４３】
また、ハウジング１０の特定面Ｔにおいてピン穴１２の周辺部にもボス１４が形成されており（図２参照）、これらのボス１４に対応する位置に、配線カバー２０は、締結部２２を有している。ここで、配線カバー２０は、締結部２２からピン穴１２に対応するように延びる腕部２３を有している。これにより、締結部２２を介して配線カバー２０が螺着されると、腕部２３が、ピン穴１２の上方を覆い、ピン穴１２に挿入されたピン１３を支持する。
【００４４】
また、配線カバー２０は、図１等の左側に示すように、特定面Ｔの反対側に配置される電子制御ユニットへの配線を案内する保護チューブ２４を有している。保護チューブ２４は、ハウジング１０の傍らを経由して上下方向に延びる。図６に拡大して示すように、保護チューブ２４の端部には、内側（図中では右方向）へ突出するコネクタ部２５が接続されている。このコネクタ部２５により、電子制御ユニットが接続される。
【００４５】
ハウジング１０はＡＴケース（不図示）内に配設されるため、保護チューブ２４の外側（図中では左側）には、ＡＴケースの壁が位置する。したがって、保護チューブ２４は、配線４１がＡＴケースに接触して損傷することを防止する。
【００４６】
配線４１がＡＴケースと接触しないようにするため、図６等に示すように、保護チューブ２４の端部には、配線保護部２６及びコネクタ保護部２７が設けられている。配線保護部２６は、保護チューブ２４から収容部２１までの間の配線が外側のＡＴケースに接触しないように保護する。一方、コネクタ保護部２７は、コネクタ部２５から保護チューブ２４までの間の配線が外側のＡＴケースに接触しないように保護する。
【００４７】
また、図７及び図８では、配線カバー２０のみを示した。図７は配線カバー２０の表側から視た斜視図であり、図８は配線カバー２０の裏側から視た斜視図である。配線カバー２０の収容部２１からは配線４１が取り出されることは上述したが、この取り出し部位において、配線４１が損傷しないように、図７中に記号Ｈで示す部位などでは、端縁部２１ａが折り返されている（図９（ａ）及び（ｂ）参照）。また、記号Ｉで示すコ字状部位においても、断面の端部がＲ形状となっている（図９（ｃ）参照）。
【００４８】
以上詳述したように、本実施形態では、ハウジング１０の特定面Ｔにおいてピン穴１２の周辺部に、ボス１４が形成されている（図２参照）。これらのボス１４に対応する位置に配線カバー２０は締結部２２を有しており、さらに、配線カバー２０は、締結部２２からピン穴１２に対応するように延びる腕部２３を有している。この腕部２３により、締結部２２を介して配線カバー２０が螺着されると、ピン穴１２の上方が覆われ、ピン穴１２に挿入されたピン１３が支持される。
【００４９】
つまり、レール状の収容部２１を有する配線カバー２０にはハウジング１０への固定のための締結部２２が設けられるのであるが、この締結部２２から延びる腕部２３によって、リニアソレノイド弁３０を固定するためのピン１３を支持するようにしたのである。これにより、大型の樹脂成形が必要なくなる。特にピン穴１２の位置に近い部位にボス１４が形成されているため、効果が際立つ。
【００５０】
また、本実施形態では、電子制御ユニットが車両の下方側の特定面Ｔとは反対側に配設される。これにより、石跳ねや縁石接触により電子制御ユニットの損傷を防止することができる。
【００５１】
さらにまた、本実施形態では、Ａ及びＢ、Ｄ及びＥの隣り合うリニアソレノイド弁３０は、円筒穴部１１に収容された状態で、溝条３１が両制御弁３０の内側に位置するよう当該溝条３１が弁軸Ｏに対し反対側に形成されている。これにより、Ａ及びＢ、Ｄ及びＥのリニアソレノイド弁３０に対応するピン穴１２は、近接する位置に配置されることになる。これにより、腕部２３の一部を共通化することにより、より小型の配線カバー２０を構成することができ、より一層効果が際立つ。
【００５２】
また、本実施形態によれば、配線カバー２０が金属材料で成形されているため、配線カバー２０の剛性が高くなり、その腕部２３によって、確実にピン１３を支持することができる。
【００５３】
さらにまた、本実施形態では、所定部分で収容部２１がハウジング１０側に開口する横断面コ字状となっている。これにより、収容部２１によって３方向から配線４１が覆われるため、配線４１を十分に保護することができる。
【００５４】
また、本実施形態では、配線４１の取り出し部位において、配線４１が損傷しないように、図７中に記号Ｈで示す部分では、端縁部２１ａが折り返されている（図９（ａ）及び（ｂ）参照）。また、記号Ｉで示すコ字状部位においても、断面の端部がＲ形状となっている（図９（ｃ）参照）。これにより、配線４１が損傷することを極力防止することができる。
【００５５】
さらにまた、本実施形態によれば、配線カバー２０の表面に絶縁膜が形成されているため、配線カバー２０を介した配線の短絡を防止することができる。また、絶縁膜に電着塗装皮膜を用いたため、配線４１との接触が繰り返されても絶縁膜が剥がれ落ちる虞が少ない。
【００５６】
また、本実施形態では、コネクタ部２５へ接続される配線４１が保護チューブ２４内に配置されている。さらに、配線４１がＡＴケースと接触しないようにするため、保護チューブ２４の端部には、配線保護部２６及びコネクタ保護部２７が設けられている（図６等参照）。これにより、ハウジング１０の傍らを経由する配線４１がＡＴケースに接触して損傷することを防止できる。
【００５７】
以上、本発明は、上述した実施形態に何ら限定されるものではなく、その要旨を逸脱しない限度において種々なる形態で実施できる。
（イ）上記実施形態では、配線カバー２０の表面に電着塗装皮膜の絶縁膜を形成していたが、必ずしも絶縁膜が必要なわけではない。また、電着塗装皮膜の絶縁膜以外に、化成皮膜の絶縁膜を形成したり、メッキ膜を下層としクロム系コーティング剤を上層とする絶縁膜を形成したりしてもよい。
【００５８】
（ロ）上記実施形態では、リニアソレノイド弁３０の仕様については特に言及していないが、リニアソレノイド弁３０には、作動油の出力圧が非通電時に低圧となるものと、作動油の出力圧が非通電時に高圧となるものとがある。そこで、Ａ及びＢのリニアソレノイド弁３０のうち一方を「非通電時に低圧となるもの」とし、他方を「非通電時に高圧となるもの」とすることが考えられる。隣り合うＡ及びＢのリニアソレノイド弁３０では溝条３１が弁軸Ｏに対し反対側に形成されるため、溝条３１の位置によって、仕様の異なる２種類のリニアソレノイド弁３０を区別することができる。これは、隣り合うＤ及びＥのリニアソレノイド弁３０でも同様である。
【００５９】
（ハ）上記実施形態では接続部３２がリニアソレノイド弁３０の円筒面に設けられるとしか言及していないが、円筒面の水平方向にオフセットした位置に、接続部３２を設けるようにしてもよい。このようにすれば、接続部３２からオイルパンまでの距離を確保することができる。また、接続部３２を水平方向にオフセットした位置に設ける場合、２つのリニアソレノイド弁３０において弁軸Ｏに対し反対側に接続部３２を形成すれば、上記（ロ）で示したような異なる種類のリニアソレノイド弁３０を接続部３２の位置によって区別することができる。その結果、専用コネクタ４２の誤組み付けを防止することができる。
【符号の説明】
【００６０】
１・・・配線装置
１０・・・ハウジング
１１・・・円筒穴部
１１ａ・・・空間
１２・・・ピン穴
１３・・・ピン
１４・・・ボス
２０・・・配線カバー
２１・・・収容部
２１ａ・・・端縁部
２２・・・締結部
２３・・・腕部
２４・・・保護チューブ
２５・・・コネクタ部
２６・・・配線保護部
２７・・・コネクタ保護部
３０・・・リニアソレノイド弁
３１・・・溝条
３２・・・接続部
４１・・・配線
４２・・・専用コネクタ
Ｏ・・・弁軸
Ｔ・・・特定面
【図１】
0005406133.tif 000002
【図２】
0005406133.tif 000003
【図３】
0005406133.tif 000004
【図４】
0005406133.tif 000005
【図５】
0005406133.tif 000006
【図６】
0005406133.tif 000007
【図７】
0005406133.tif 000008
【図８】
0005406133.tif 000009
【図９】
0005406133.tif 000010